(57)【特許請求の範囲】
【請求項１】
複数匹の動物を同時に散歩させるための散歩用具であって、
２匹の動物を互いに連結するための散歩綱と、
前記散歩綱の一端に連結して、他端を人が持つ引き綱とからなる
ことを特徴とする散歩用具。
【請求項２】
前記散歩綱が、１本の綱体と、
該綱体の両端に取付けられた引っ掛け金具とからなる
ことを特徴とする請求項１記載の散歩用具。
【請求項３】
前記散歩綱が、１本の綱体と、
該綱体の一端に取付けられた引っ掛け金具と他端に連結された伸縮部と、該伸縮部の先端に取付けられた引っ掛け金具とからなり、
前記伸縮部は、巻き取り機構と、該巻き取り機構から繰り出されたり巻き取られる延長綱とからなる
ことを特徴とする請求項１記載の散歩用具。
【請求項４】
前記巻き取り機構が、前記延長綱の移動を固定するロック機構を備えている
ことを特徴とする請求項１記載の散歩用具。
【請求項５】
前記引き綱に、前記ロック機構の繰出し巻き取りをロック・アンロックする操作手段を取付けた
ことを特徴とする請求項４記載の散歩用具。
【発明の詳細な説明】
【０００１】
【発明の属する技術分野】
本発明は、動物の散歩に使用する散歩用具に関する。さらに詳しくは犬や猫その他の動物の散歩に使用する散歩用具に関する。特に、犬の親子等、大きさの違う犬を散歩させる場合や、盲目の犬を他の犬と共に散歩させるのに好適な散歩用具に関する。
【０００２】
【従来の技術】
散歩用具に関する従来の技術として、次の二つがある。
従来例Ｉの散歩用具は、二匹の犬の散歩に使用するものであって、１本の引き綱と２本の連結綱からなり、２本の連結綱を回転金具を介して１本の引き綱に連結したものである。２本の連結綱は２匹の犬の首輪にそれぞれ引っ掛けられ、１本の引き綱は飼い主が持つ（例えば、特許文献１参照）。
また、従来例ＩＩの散歩用具は、二匹の犬の散歩に使用するものであって、持ち輪を備えた２本の散歩綱が、１本の綱の両端に設けた引っ掛け金具の基部にそれぞれ固着され、その綱の中央にも連結紐を介して持ち輪を連結したものである（例えば、特許文献２参照）。
【０００３】
【特許文献１】
実開平０７−２２６５３
【特許文献２】
特開平０９−２０５９２０
【０００４】
【発明が解決しようとする課題】
しかるに、従来例I、IIの散歩用具は、２匹の犬の首輪にそれぞれ１本づつ連結綱が取り付けられているので、犬同士は他の犬の動きに関わらず自由に動きまわり、犬の動き方によっては連結綱同士が絡むという問題があり、飼い主が２匹の犬をまとまって散歩させることも困難であるという問題がある。
また、従来例I、IIの散歩用具は、伸縮性に欠けるので、２匹の犬の歩行ペースが合わないとき、犬同士が引っ張り合って、人が散歩させにくいという問題がある。
さらに、従来例I、IIの散歩用具は２匹の動物の動きを容易に制御することができないという問題がある。すなわち、従来例Ｉは、手元の持ち輪は一つだが先は２本の連結綱で二股に分かれているので、２匹の犬の力が一本の引き綱に加わる。すると、動物を引き止めるのに２匹分の力を支持する必要がある。また、持ち輪を引いて動物を制御しようとしても、２匹の距離を接近させることしかできない。そして、従来例Iは、持ち輪が３箇所もあるため、扱いが煩雑であり、２匹の動きを容易に制御することができない。
【０００５】
本発明はかかる事情に鑑み、２匹の動物を同時に散歩させる場合に、綱同士が絡まることなく、２匹の動物の歩行ペースを合わせてまとまって散歩させ、動物の行動を容易に制御することができる散歩用具を提供することを目的とする。
【０００６】
【課題を解決するための手段】
請求項１の散歩用具は、複数匹の動物を同時に散歩させるための散歩用具であって、２匹の動物を互いに連結するための散歩綱と、前記散歩綱の一端に連結して、他端を人が持つ引き綱とからなることを特徴とする。
請求項２散歩用具は、第１発明において、前記散歩綱が、１本の綱体と、該綱体の両端に取付けられた引っ掛け金具とからなることを特徴とする。
請求項３の散歩用具は、第１発明において、前記散歩綱が、１本の綱体と、該綱体の一端に取付けられた引っ掛け金具と他端に連結された伸縮部と、該伸縮部の先端に取付けられた引っ掛け金具とからなり、前記伸縮部は、巻き取り機構と、該巻き取り機構から繰り出されたり巻き取られる延長綱とからなることを特徴とする。
請求項４の散歩用具は、第１発明において、前記巻き取り機構が、前記延長綱の移動を固定するロック機構を備えたことを特徴とする。
請求項５の散歩用具は、第４発明において、前記引き綱に、前記ロック機構の繰出し巻き取りをロック・アンロックする操作手段を取付けたことを特徴とする。
【０００７】
【発明の実施の形態】
つぎに、本発明の実施形態に係る散歩綱及び散歩用具を図面に基づき説明する。
図１は第１実施形態に係る散歩用具の説明図である。図２は散歩綱Ａの一例の説明図である。図１は図３は散歩綱Ａの他の例の説明図である。図４は第２実施形態に係る散歩用具の説明図である。
【０００８】
本発明の散歩用具は、動物（例えば、犬）の体に取り付けられる連結具（例えば、首輪や胴輪）に引っ掛けて使用するものである。
図１に示すように、第１実施形態の散歩用具は、散歩綱Ａと引き綱Ｂとから構成されている。
【０００９】
散歩綱Ａの一例を図２に基づき説明する。この散歩綱Ａは、１本の綱体１の両端にそれぞれ引っ掛け金具２を設けたものである。この場合、犬同士を一本の綱でつなぐので、犬同士の間隔を常に一定の距離の範囲内に保った状態で犬を散歩させたい場合に好適である。
そして、綱体１の長さを数１０ｃｍから２ｍ位にすれば、散歩させる目的には好適である。
綱体１は公知の編み紐製やチェーンなどであり、この綱体１の両端には引っ掛け金具２が設けられている。引っ掛け金具２は首輪Ｃや胴輪の連結環Ｒに着脱自在に引っ掛けたり外したりできるものであれば、どのようなものでもよいが、例えば公知のナスカンが用いられる。
【００１０】
図３に基づき、散歩綱Ａの他の例を説明する。
散歩綱Ａは、１本の綱体１と、綱体１の一端に取付けられた引っ掛け金具２と他端に連結された伸縮部４と、伸縮部４の先端に取付けられた引っ掛け金具２とからなり、伸縮部４は、巻き取り機構４ａと、巻き取り機構４ａから繰り出されたり巻き取られる延長綱４ｂとからなる。
【００１１】
前記伸縮部４は、ケース内にコイルバネが内装された回転ドラムを有する巻き取り機構４aと巻き取り機構４aの回転ドラムに一端が取り付けられた延長綱４bとから構成されている。言い換えれば、伸縮部４は、公知の巻尺において、テープ部分が延長綱４bに置き換えられた構造を有している。なお、伸縮部４は、綱体１の一端と引っ掛け金具５との間の距離を調整することができるものであればどのような構造でも良い。
前記延長綱４bはナイロンやコットン等種々の素材が用いられ、横幅があって平たい形のテープ状のものでも、細く丸い形の紐状のものでも良いが、紐状のもののほうが、犬の動きによってねじれても綱体の巻き取りがスムーズである。なお、その長さは犬の大きさにもよるが、数１０ｃｍから２ｍ位までが、散歩させる目的からは好都合である。
そして、延長綱４bの自由端には上記の引っ掛け金具２と同様の引っ掛け金具５が設けられている。
【００１２】
図２の散歩綱を用いた散歩用具を使用する場合は、図１〜図３に示すように、散歩綱Ａに設けられた引っ掛け金具２と引っ掛け金具５を、犬の首輪Ｃ等に設けられた連結環Ｒにそれぞれ引っ掛けて犬同士を連結させる。そして、引き綱Ｂを散歩綱の一端側に連結する。すると、２匹の犬同士を離れ離れにしないで、散歩させることができる。
例えば、飼い主が、引き綱Ｂを親犬につないでおいて、子犬を散歩綱Ａを使用して親犬につなげば、子犬は親犬について散歩することができるし、盲目の犬を散歩綱Ａを使用して目の見える犬につなげば、盲目の犬を目の見える犬とともに散歩することができる。また、小型犬を散歩綱Ａを使用して大型犬につなげば、小型犬を大型犬とともに散歩させることができる。
【００１３】
図３の散歩綱を用いた散歩用具を使用する場合は、２匹の犬がそれぞれ違う方向に動いて両者の距離が離れれば、巻き取り機構４aが働いて延長綱４bが繰り出され、２匹の犬が近づくと巻き取り機構４aによって延長綱４bが巻き取られるので、犬同士は互いに行動を制限されることなく、自由に動くことができる。
そして、巻き取り機構４aに、延長綱４bの長さを固定するロック機構を設けておけば好適である。ロック機構とは巻き取り機構４aにおける延長綱４bの繰り出し、巻き取りの動きを止めるものであって、これらの動きを止めることによって、延長綱４bの長さを固定するものである。従って、延長綱４bの繰り出し量を固定することができると、延長綱４bの長さを固定することができるので、２匹間の距離を一定にすることができる。すると、それ以上広い範囲に犬が動くことはなく、２匹の犬をまとまって散歩させることができる。
【００１４】
また、飼い主は引き綱Ｂに直接つながれている犬を制御するときは、引き綱Ｂを引いて制御することができるし、散歩綱Ａのみにつながれた犬を制御するときは、引き綱Ｂにつながれた犬を制御し、かつ延長綱４bの長さを固定すれば散歩綱Ａのみにつながれた犬も間接的に制御することができる。散歩綱Ａのみにつながれた犬を引き綱Ｂにつながれた犬の行動に従属させることができるからである。従って、飼い主が犬を制御する際には、従来例Ｉ、ＩＩの散歩綱を用いると、２匹分の力を負担しなければならなかったが、散歩綱Ａを使用すれば、負担するのは犬１匹分の力で済むことになる。
【００１５】
本発明においては、前記各例の散歩綱を使用して一匹の犬の首輪に複数の犬をつなぐ、つまり、一匹の犬を中心として他の犬が略放射状になるようにつなぐと、２匹以上の犬をまとめて散歩させることができる。たとえば、何匹かの子犬を散歩綱を用いてそれぞれ親犬の首輪につなげば、複数の子犬がいても、親犬と一緒に散歩させることができる。
【００１６】
第２実施形態の散歩用具は、図４に示すように巻き取り機構４aの操作手段を追加したものである。操作手段とは、巻き取り機構のロック機構を操作するものであり、例えば、手元操作部９とワイヤー８から構成されている。
手元操作部９は、巻き取り機構４aにおける延長綱４bの繰出し巻き取りをロック、アンロックするための部材であり、ワイヤー８を介して巻き取り機構４aのロック機構に連結されている。このため、ワイヤー８の動作を操作するボタン等を手元操作部９に設けておけば、手元で巻き取り機構４aのロック機構を操作できる。例えば、一度ボタンを押すとロックされ、もう一度押すとアンロックする構成などが用いることができる。
【００１７】
本実施形態の散歩用具を使用する場合、延長綱４bの長さを固定したい場合は、手元操作部９のボタンを押してロック状態にしておけば、延長綱４bの繰り出し巻き取りを止めることができるので、２匹の犬を一定の行動範囲に制限し、まとまって散歩させることができる。また、手元操作部９のボタンをもう一度押してアンロック状態にしておけば、犬同士の間隔に応じて延長綱４bが繰り出され、巻き取られるので、２匹の犬はそれぞれ自由に行動することができる。
本実施形態の散歩用具を使用すれば、延長綱４bの操作を手元でおこなうことができるので、飼い主は、散歩用具のみに連結された犬の行動を容易に制御することができる。
【００１８】
なお、手元操作部９にマジックテープなどの手元操作保持部９aを設けて、この手元操作保持部９aによって、引き綱Ｂとワイヤー８を手元付近で束ねることができるような構成としてもよい。このようにすれば、持ち輪７と手元操作部９を近くに配置することができ、手元操作部９を常に手で持たなくても済むし、操作したいときはすぐに操作できる。
なお、操作手段の構成はロック機構を操作することができれば、なんでも良い。
【００１９】
【発明の効果】
請求項１の発明によれば、動物と動物を散歩綱で直接つなぐので、動物同士は他の動物の動きと関連して行動範囲が制限され、引き綱は前記散歩綱の一端に連結されているので、飼い主は複数匹の動物をまとまって散歩させることができる。
請求項２の発明によれば、動物と動物を１本の散歩綱で直接つなぐので、動物同士を一定の距離に保った状態で散歩させることができ、また綱同士が絡むことはない。
請求項３の発明によれば、延長綱を巻き取り繰り出しすることができるから、２匹の動物の距離が離れれば、巻き取り機構が働いて、延長綱が繰り出され、近づくと巻き取られるので、動物同士は互いに行動を制限されることなく、自由に動くことができる。
請求項４の発明によれば、ロック機構により延長綱の長さを固定することができるので、２匹間の距離を一定にすることができる。すると、それ以上広い範囲に犬が動くことはなく、２匹の犬をまとまって散歩させることができる。
請求項５の発明によれば、延長綱４bの操作を手元でおこなうことができるので、飼い主は、散歩用具のみに連結された犬の行動を容易に制御することができる。
【図面の簡単な説明】
【図１】第１実施形態に係る散歩用具の説明図である。
【図２】散歩綱Ａの一例の説明図である。
【図３】散歩綱Ａの他の例の説明図である。
【図４】第２実施形態に係る散歩用具の説明図である。
【符号の説明】
１  綱体
２  引っ掛け金具
３  連結手段
４  伸縮部
４a  巻き取り機構
４b  延長綱
５  引っ掛け金具
６  引き綱
６a  引っ掛け金具
７  持ち輪
８  ワイヤー
９  手元操作部
９a  手元操作保持部
Ｃ  首輪
Ｒ  連結環
１０  綱体
１１  巻き取り機構
１２  首輪
１３  連結環
【図１】
0003921458.tif 000002
【図２】
0003921458.tif 000003
【図３】
0003921458.tif 000004
【図４】
0003921458.tif 000005